(57)【特許請求の範囲】
【請求項１】
被験者の第１血圧値と第２血圧値を算出する血圧算出部と、
前記被験者の脈波を測定する脈波測定部と、
前記脈波の測定時に前記被験者の所定位置を加圧する圧力制御部と、
前記圧力制御部の加圧力と前記脈波の波形から％ＭＡＰ（Mean Artery Pressure）の変化を算出し、％ＭＡＰの変化を基に前記圧力制御部による加圧が解除された場合の％ＭＡＰの推定値を各血圧値の差の大きさの関係を示す比率情報として算出するＭＡＰ算出部と、
前記比率情報と、前記第１血圧値と、前記第２血圧値と、に基づいて第３血圧値を推定する血圧推定部と、
を備える測定装置。
【請求項２】
前記圧力制御部は、静脈圧よりも高いと想定される所定圧力以上で前記被験者の所定部位を加圧する、ことを特徴とする請求項１に記載の測定装置。
【請求項３】
前記圧力制御部は、前記第１血圧値と前記第２血圧値を算出する際に、前記被験者の所定位置を徐々に加圧していき、算出し終わった後に減圧する、ことを特徴とする請求項１または請求項２に記載の測定装置。
【請求項４】
前記第１血圧値は最低血圧であり、前記第２血圧値は平均血圧であり、前記第３血圧値は最高血圧である、ことを特徴とする請求項１〜３のいずれか１項に記載の測定装置。
【請求項５】
前記第１血圧値は最低血圧であり、前記第２血圧値は最高血圧であり、前記第３血圧値は平均血圧である、ことを特徴とする請求項１〜３のいずれか１項に記載の測定装置。
【請求項６】
コンピュータに、
被験者の第１血圧値と第２血圧値を算出する血圧算出ステップと、
前記被験者の脈波を測定する脈波測定ステップと、
前記脈波の測定時に前記被験者の所定位置を加圧する圧力制御ステップと、
前記圧力制御ステップにおける加圧力と前記脈波の波形から％ＭＡＰ（Mean Artery Pressure）の変化を算出し、％ＭＡＰの変化を基に前記圧力制御ステップによる加圧が解除された場合の％ＭＡＰの推定値を各血圧値の差の大きさの関係を示す比率情報として算出するＭＡＰ算出ステップと、
前記比率情報と、前記第１血圧値と、前記第２血圧値と、に基づいて第３血圧値を推定する血圧推定ステップと、を実行させるプログラム。
【発明の詳細な説明】
【技術分野】
【０００１】
本発明は測定装置及びプログラムに関し、特に被験者の血圧測定を行う測定装置及びプログラムに関する。
【背景技術】
【０００２】
被験者の血圧の測定方法として、オシロメトリック血圧計が広く使用されている。一般的なオシロメトリック血圧計の使用時には、被験者は所定位置（好適には上腕）にカフを取り付ける。オシロメトリック血圧計は、カフ圧を最高血圧以上の圧力から最低血圧以下の圧力の間で変化させ、その際のカフ圧に重畳した脈波の振幅変化から収縮期血圧（最高血圧）、平均血圧、及び拡張期血圧（最低血圧）を算出する。
【先行技術文献】
【特許文献】
【０００３】
【特許文献１】特開２０１４−２３０６７１号公報
【特許文献２】特開平１０−２７６９９４号公報
【非特許文献】
【０００４】
【非特許文献１】嶋津秀昭、健康を支える医療機器  簡単で奥の深い血圧測定、Clin Eng ９巻１号、Ｐ２６−３３
【非特許文献２】吉川公彦、閉塞性動脈硬化症診断におけるＡＢＩ測定と脈波形の重要性、第８回臨床血圧脈波研究会  症例検討会３、Ｐ５８〜Ｐ６０
【非特許文献３】Colin Information Service, [online]、平成２７年２月２３日検索]、インターネット<URL: http://www.colin.omron.co.jp/colininfo/pdf/11.pdf>
【非特許文献４】Denis Chemla et. al,. al, aortic pressure is the geometric mean of systolic and diastolic aortic pressure in resting humans”aortAppl Physiol 99:2278-2284, 2005
【発明の概要】
【発明が解決しようとする課題】
【０００５】
上述のようにオシロメトリック血圧計では、最高血圧以上の圧力を被験者にかける必要がある。そのため患者負担の負担が大きいといった問題や、測定時間が長いといった問題がある。また動脈硬化が進行した被験者を対象とした場合、オシロメトリック血圧計はカフ圧に重畳する脈波の最大振幅を明確に決定できない。そのためオシロトリック血圧計では、平均血圧の算出精度が悪いという問題もあった。なお被験者の負担を軽減する技術として例えば特許文献１の血圧推定装置が挙げられるが、マイクロ波センサ等を必要とする構成である。そのため特許文献１の構成は、安価な構成で上述した問題を十分に解決できるものではない。
【０００６】
また特許文献２に記載の測定装置は、測定速度を短縮するために暫定的な血圧値を表示する構成が開示されている。当該手法では、最高血圧と平均血圧の履歴を使用し、現在の最高血圧が算出された時点で平均血圧を推定する（特許文献２段落００３３、００３４）。しかしながら当該手法では最低血圧を考慮していないため、正確な血圧推定が出来ない可能性がある。
【０００７】
よって本発明は、オシロメトリック血圧計を用いた場合の種々の問題を解決する測定装置、及びプログラムを提供することを主たる目的とする。
【課題を解決するための手段】
【０００８】
本発明にかかる測定装置の一態様は、
被験者の第１血圧値と第２血圧値を算出する血圧算出部と、
各血圧値の差の大きさの関係を示す比率情報と、前記第１血圧値と、前記第２血圧値と、に基づいて第３血圧値を推定する血圧推定部と、
を備えるものである。
【０００９】
測定装置は、一般的な手法を用いて取得した第１血圧値と第２血圧値、及び各血圧値の差の大きさの関係を示す比率情報を用いて第３血圧値を算出する。人間の血圧値として３つの血圧値（最低血圧、平均血圧、最高血圧）がある。測定装置は、このうちの２つの血圧値（第１血圧値、第２血圧値）と比率情報を用いて第３血圧値を算出する。３つ全ての血圧値を算出しないことによって測定時間を短縮でき、被験者の負担を軽減することができる。また別のケースでは、測定装置は一般的な測定方法では不正確と思われる血圧値を比率情報を用いて推定する。これにより、一般的なオシロメトリック法で問題となる種々の問題を解決することができる。
【発明の効果】
【００１０】
本発明は、オシロメトリック血圧計を用いた場合の種々の問題を解決する測定装置、及びプログラムを提供することができる。
【図面の簡単な説明】
【００１１】
【図１】実施の形態１にかかる測定装置１の構成を示すブロック図である。
【図２】カフ圧を加圧して最低血圧及び平均血圧を算出する算出概念を示す概念図である。
【図３】動脈血管の圧力と容積の関係を模式的に示す図である。
【図４】脈波の波形を示す概念図である。
【図５】血圧波形を示す概念図である。
【図６】脈波の波形を示す概念図である。
【図７】実施の形態２にかかる測定装置１の構成を示すブロック図である。
【図８】実施の形態４にかかる測定装置１の構成を示すブロック図である。
【図９】％ＭＡＰの概念を示す図である。
【図１０】カフ圧と％ＭＡＰの関係性を示す図である。
【図１１】動脈硬化が進んだ被験者から測定したカフ圧の脈波を示す概念図である。
【発明を実施するための形態】
【００１２】
＜実施の形態１＞
以下、図面を参照して本発明の実施の形態について説明する。本実施の形態では、被験者の負担や測定時間の短縮等を目的とし、最高血圧を推定する構成について説明する。
【００１３】
図１は、本実施の形態にかかる測定装置１の構成を示すブロック図である。測定装置１は、脈波測定部１１、血圧算出部１２、圧力制御部１３、血圧推定部１４、表示部１５、及び報知部１６を備える。なお図示しないものの測定装置１は、記憶装置（例えばハードディスク）等も適宜備える。測定装置１は、例えば生体情報モニタ、医用テレメータ、血圧計等であればよい。測定装置１は、カフ２１と接続する。
【００１４】
カフ２１は、一般的な非観血血圧測定において用いられる空気袋である。カフ２１は、被験者の所定部位（好適には上腕）に取り付けられる。圧力制御部１３は、カフ２１の加圧／減圧制御を行う。ここで圧力制御部１３は、カフ圧（カフ２１から被験者の所定位置にかかる圧力）が０の状態から徐々に加圧していき、最低血圧と平均血圧を血圧算出部１２が算出し終わった後に加圧を終了する（減圧を開始する）。圧力制御部１３は、加圧制御の詳細については、図２を参照して後述する。
【００１５】
脈波測定部１１は、被験者の脈波を非侵襲的に測定する。詳細には脈波測定部１１は、カフ圧を検出する。ここでカフ圧には、被験者の脈波が重畳されている。脈波測定部１１は、検出したカフ圧に対して信号処理を行うことにより、カフ圧に重畳された脈波を取得する。ここで脈波測定部１１は、カフ２１に印加されている圧力が静脈の脈波成分を含まない範囲の圧力となっている間に脈波を測定する。例えば、静脈の脈波成分を含まない圧力（静脈圧よりも大きな圧力）として、２０ｍｍＨｇ以上の圧力が考えられる。これにより静脈圧の影響をキャンセルして動脈圧に関する脈波成分のみを抽出でき、精度の高い脈波測定が可能になる。また脈波測定部１１は、最低血圧以下と想定される圧力下での加圧中（４０ｍｍＨｇ〜５０ｍｍＨｇ）に脈波を測定することが望ましい。これにより動脈を閉塞しすぎず、精度の高い脈波を測定できる。脈波測定部１１は、測定した脈波を血圧算出部１２及び血圧推定部１４に供給する。
【００１６】
血圧算出部１２は、脈波とカフ圧を基にして最低血圧と平均血圧を算出する。最低血圧と平均血圧の算出方法を図２を参照して説明する。図２は、カフ２１を用いた加圧をして最低血圧及び平均血圧を算出する算出概念を示す概念図である。
【００１７】
血圧算出部１２は、カフ２１を用いた加圧過程においてカフ圧に重畳された脈波の振幅（図２における棒グラフ部分）を検出する。血圧算出部１２は、脈波の最大振幅に対応するカフ圧を平均血圧（ＭＥＡＮ）として検出する。また血圧算出部１２は、この最大振幅を基に最低血圧（ＤＩＡ）を算出する。血圧の算出方法は様々なものがあるが、血圧算出部１２は、脈波の振幅が急激に大きくなる点のカフ圧を基に最低血圧（ＤＩＡ）を算出する。圧力制御部１３は、最低血圧及び平均血圧が算出できた後（または算出できるようなった状態の後）にカフ２１の減圧を開始する。すなわち最高血圧値以下と推定される圧力以下での加圧期間中に測定した脈波から最低血圧と平均血圧を算出している。最高血圧値以下での加圧となるため、被験者の負担を小さくできる。血圧算出部１２は、算出した最低血圧及び平均血圧を血圧推定部１４に供給する。
【００１８】
再び図１を参照する。血圧推定部１４には、脈波、最低血圧、及び平均血圧が入力される。血圧推定部１４は、脈波、最低血圧（第１血圧値）、及び平均血圧（第２血圧値）を用いて最高血圧(第３血圧値)を算出する。血圧算出部１２は、この算出の際に脈波、動脈血管容積、及び血圧の関係性を用いて最高血圧を算出する。そのため、まず脈波、動脈血管容積、及び血圧の関係性について説明する。
【００１９】
図３（非特許文献１を引用）は、動脈血管の圧力と容積の関係を模式的に示す図である。図の縦軸は血管内圧を示し、横軸は動脈血管容積を示す。カフ２１の印加圧が拡張期血圧よりも大きい場合、印加圧以下の内圧の血管が閉塞する。そのため、動脈血管容積の変化は、不連続な波形となる。よって（血圧からカフ圧を引いた値）と（動脈血管容積）の関係は、図３で示すように非線形の関係となる。
【００２０】
しかしカフ２１の印加圧が拡張期血圧よりも小さい場合、動脈血管容積の変化は血圧波形と近い形となる。そのためカフ２１の印加圧が拡張期血圧よりも小さい範囲（図３Ｄまたは図３Ｅ）では、動脈血管容積の変化と血圧変化は概ね線形の関係となる。以上が、動脈血管容積と血圧変化の関係である。
【００２１】
次に脈波と動脈血管容積の関係について説明する。脈波の変動は、動脈血管容積の変化によってカフ容積が変化したことによって生じる。ここでカフ圧をＰ、カフ容積をＶ、動脈血管容積の変化によるカフ容積変化をΔＶ、脈波の振幅をΔＰとすると、ボイルシャルルの法則から下記の式（１）が成立する。
【数１】
0006440535.tif 000002
【００２２】
ΔＰ及びΔＶはＰ及びＶと比べて値が小さい。そのため上記の式（１）においてΔＰ×ΔＶの項を無視しても影響は少ない。そのため、以下の式（２）及び式（３）が概ね成り立つ。
【００２３】
【数２】
0006440535.tif 000003
【数３】
0006440535.tif 000004
【００２４】
式（２）及び式（３）においてＰ及びＶが一定とすると、ΔＰはΔＶに比例する。すなわち脈波の振幅ΔＰは、動脈血管容積の変化と相似の関係とみなすことができる。
【００２５】
以上の説明をまとめると以下のようになる。
（特性１）動脈血管容積の変化と血圧の変化は（カフ圧が拡張期血圧以下の範囲では）概ね線形の関係となる。
（特性２）脈波の振幅は、動脈血管容積の変化と相似の関係になる。
【００２６】
上記の２つの特性を鑑みると、脈波の振幅と血圧の変化との間には関連性が認められる。この血圧推定部１４は、この脈波の振幅と血圧の関係に着目して、上述の入力（最低血圧、平均血圧、脈波）から最高血圧を推定する。以下、詳細について説明する。
【００２７】
前述のように脈波は、血圧の変化（すなわち血圧波形）との関連性が認められる。すなわち脈波の波形は、血圧波形と相似形とみなすことができる。そこで血圧推定部１４は、この脈波の波形を血圧波形と同形（相似形）であるとみなして処理を行う。図４は、脈波の波形を示す概念図である。
【００２８】
血圧推定部１４は、図４に示す脈波波形の一振幅において、この一振幅波形の面積が同一となるように分割する圧力値Ｙ１（ｍｍＨｇ）を算出する。そして血圧推定部１４は、図中におけるａ：ｂの比率（Ｙ１−一振幅内の最小圧値Ｙ３：一振幅内の最大圧値Ｙ２−Ｙ１）を算出する。以下の説明ではａ：ｂの比率が１：２であったものとする。
【００２９】
次に血圧推定部１４は、この比率、最低血圧、及び平均血圧を用いて最大血圧を推定する。図５は、血圧波形を示す概念図である。上述のように血圧波形と脈波波形（図４）は相似形とみなすことができる。血圧算出部１２は、前述のように最低血圧と平均血圧を算出している。以下の説明では、最低血圧が７０ｍｍＨｇとし、平均血圧が９０ｍｍＨｇとする。ここで平均血圧は、血圧波形の一振幅を面積とした場合に、面積を１／２ずつに分ける値である。ここで図４により算出した比率（ａ：ｂ）は１：２である。上述のように血圧波形と脈波波形（図４）は相似形とみなすことができるため、血圧推定部１４は、（最低血圧−平均血圧）：（最高血圧−平均血圧）＝１：２と扱う。そして血圧推定部１４は、この比率（ａ：ｂ＝１：２）、最低血圧（７０ｍｍＨｇ）、平均血圧（９０ｍｍＨｇ）を基に最高血圧を１３０ｍｍＨｇ（９０ｍｍＨｇ＋（９０ｍｍＨｇ−７０ｍｍＨｇ）×（２／１））であると推定する。
【００３０】
この血圧推定部１４の最高血圧の推定方法について更に詳しく説明する。上述の血圧推定部１４は、脈波波形の形状を基に最高血圧を推定している。様々な脈波形状の例と、それに基づく最高血圧の推定方法について図６を参照して説明する。
【００３１】
図６（Ａ）は、脈波波形の第１例を示している。図６（Ａ）では、当該波形の面積を１／２に分割する比率ａ：ｂが１：２となっている。図６（Ｂ）は、脈波波形の第２例を示している。図６（Ｂ）では、当該波形の面積を１／２に分割する比率ａ：ｂが２：３となっている。すなわち脈波の波形形状が異なる場合、波形の面積を１／２に分割する比率ａ：ｂが変化する。上述のように血圧波形と脈波波形（図４）は相似形とみなすことができる。そこで血圧推定部１４は、脈波の波形によって、血圧値（最低血圧、平均血圧、最高血圧）の関係も変化するものとして扱う。換言すると血圧推定部１４は、この脈波の形状を各血圧値（最低血圧、平均血圧、最高血圧）の関係性を示す比率として扱って最高血圧の推定を行う。
【００３２】
再び図１を参照する。表示部１５は、血圧算出部１２が算出した最低血圧と平均血圧、及び血圧推定部１４が推定した最高血圧を測定装置１に備え付けられたディスプレイ等に表示する。報知部１６は、血圧値（最低血圧、平均血圧、最高血圧）が以上であった場合にアラーム音を出力する。
【００３３】
続いて本実施の形態にかかる測定装置１の効果について説明する。上述のように測定装置１は、２つの血圧値（最低血圧（第１血圧値）、平均血圧（第２血圧値））を基に最高血圧（第３血圧値）を算出する構成である。圧力制御部１３は、最低血圧と平均血圧の算出に際してカフ２１を加圧する。そして血圧算出部１２は、加圧過程において最低血圧と平均血圧を算出している。そして２つの血圧値の算出が終わった後に加圧を終了している（図２）。換言すると最高血圧以上と推定される圧力での加圧を行わない。これにより、一般的なオシロメトリック法による血圧測定と比べて、測定時間が短時間で済むと共に、被験者の負担（すなわち所定部位にかかるカフ圧）を軽減することができる。
【００３４】
＜実施の形態２＞
本実施の形態にかかる測定装置１は、過去に測定した血圧値を用いて最高血圧を推定することを特徴とする。本実施の形態について実施の形態１と異なる点を説明する。
【００３５】
はじめに本実施の形態にかかる測定装置１が必要とされるユースケースの一例について説明する。手術室において麻酔をかける場合、麻酔科医は麻酔の利き具合を判断するために頻繁に被験者の血圧を測定する。この際に麻酔科医は、正確な測定値よりも、前回からの血圧の推移（すなわち前回から上昇傾向にあるのか、それとも下降傾向にあるのか）を認識することを重視する場合が多い。このように以前の血圧の測定結果が残っており、かつ血圧推移を即座に把握したい場合に有効な測定装置１を以下に説明する。
【００３６】
図７は、本実施の形態にかかる測定装置１の構成を示すブロック図である。図７に示す測定装置１は、図１の構成に加えて履歴記憶部１７を更に有する構成である。また、以下の点において各処理部の処理が実施の形態１と異なる。
【００３７】
血圧算出部１２及び圧力制御部１３は、オシロメトリック法を用いた一般的な血圧測定を、被験者に対して少なくとも１回行う。血圧算出部１２及び圧力制御部１３は、オシロメトリック法を用いて算出した血圧値（最低血圧、平均血圧、最高血圧）を履歴記憶部１７に格納する。すなわち圧力制御部１３は、最高血圧以上と推定される圧力までカフ２１を加圧し、その後に減圧する。血圧算出部１２は、その減圧過程において脈波の振幅を基に最低血圧、平均血圧、及び最高血圧を算出する。血圧算出部１２は、算出した血圧値（最低血圧、平均血圧、及び最高血圧）を参照値として履歴記憶部１７に格納する。
【００３８】
以下、履歴記憶部１７が記憶する血圧値を総称して参照血圧値と呼称する。また履歴記憶部１７が記憶する最低血圧、平均血圧、及び最高血圧をそれぞれ参照最低血圧、参照平均血圧、及び参照最高血圧と呼称する。履歴記憶部１７は、例えば測定装置１に備え付けられたハードディスクにより実現されれば良い。
【００３９】
その後に測定装置１は、定期的または手動指示により被験者の血圧を算出する。その際に測定装置１は、実施の形態１と同様に最高血圧以上の力で加圧を行うことなく、最高血圧を推定する。
【００４０】
詳細は以下のとおりである。圧力制御部１３は、カフ圧（カフ２１から被験者の所定位置にかかる圧力）が０の状態から徐々に加圧していき、最低血圧と平均血圧を血圧算出部１２が算出し終わった後に加圧を終了する（減圧を開始する）。血圧算出部１２は、図２と同様の方法で最低血圧と平均血圧を算出する。血圧推定部１４は、この算出した最低血圧と平均血圧に加え、履歴記憶部１７から読み出した参照血圧値（参照最低血圧、参照平均血圧、参照最高血圧）を基に最高血圧を推定する。
【００４１】
推定方法は以下のとおりである。以下の説明では、参照血圧値が以下の通りであったとする。
・参照最低血圧＝７０ｍｍＨｇ
・参照平均血圧＝９０ｍｍＨｇ
・参照最高血圧＝１３０ｍｍＨｇ
【００４２】
血圧推定部１４は、上記の参照血圧値から比率（参照平均血圧−参照最低血圧：参照最高血圧−参照平均血圧）を１：２と算出する。血圧推定部１４は、この比率と一致するように最高血圧を推定する。たとえば血圧算出部１２が算出した平均血圧が９２ｍｍＨｇであり、最低血圧が７０ｍｍＨｇであったとする。この場合血圧推定部１４は、現在の最高血圧を１３６ｍｍＨｇ（９２ｍｍＨｇ＋（９２ｍｍＨｇ−７０ｍｍＨｇ）×（２／１））と推定する。
【００４３】
この他の処理については、実施の形態１と同様である。続いて本実施の形態にかかる測定装置１の効果について説明する。測定装置１は、参照血圧値、及び血圧算出部１２が算出した最低血圧と平均血圧を用いて最高血圧を推定する。血圧算出部１２は、事前に一般的なオシロメトリック法を用いて参照血圧値（参照最低血圧、参照平均血圧、参照最高血圧）を算出する。オシロメトリック法を用いた算出を行うため、参照血圧値は正確な値となる。血圧推定部１４は、この正確な参照血圧値を用いて最高血圧を推定する。これにより、最高血圧を精度良く推定することができる。
【００４４】
特に上述の麻酔導入時の血圧測定では、速やかな血圧測定が要求される。このような場合であっても、測定装置１は被験者の血圧のトレンドに応じた最高血圧を速やかに算出することができる。
【００４５】
＜実施の形態３＞
本実施の形態にかかる測定装置１は、実施の形態２と同様に過去の血圧値（参照血圧値）を用いて最高血圧を推定する。本実施の形態にかかる測定装置１について実施の形態２と異なる点を以下に説明する。
【００４６】
測定装置１の構成は実施の形態２（図７）と同様である。血圧算出部１２及び圧力制御部１３は、オシロメトリック法を用いた一般的な血圧測定を、被験者に対して少なくとも１回行う。算出した参照血圧値は、履歴記憶部１７に格納される。またオシロメトリック法による血圧測定の時（ほぼ同じタイミング）に、脈波測定部１１はカフ圧に重畳した脈波を測定して履歴記憶部１７に格納する。
【００４７】
以下の説明では、参照血圧値が以下の値であり、オシロメトリック法の測定時の脈波波形の面積を１／２に分割する比率ａ：ｂ（図５）が以下の値であったとする。
・参照最低血圧＝８０ｍｍＨｇ
・参照平均血圧＝９８ｍｍＨｇ
・参照最高血圧＝１２５ｍｍＨｇ
・比率ａ：ｂ＝１：２
【００４８】
ここで実測値（オシロメトリック法を用いて算出した参照血圧値）に基づく比率は、（参照平均血圧−参照最低血圧：参照最高血圧−参照平均血圧）＝２：３となる。そのため血圧推定部１４は、脈波から算出した比率ａ：ｂを補正するための補正値を６／５（＝（（２／（２＋３））／（１／（１＋２）））と算出する。
【００４９】
以上がオシロメトリック法を用いた前提処理である。続いて実施の形態１や実施の形態２と同様に加圧過程における血圧測定や脈波測定を任意のタイミングで行う。すなわち血圧算出部１２は、加圧過程において最低血圧と平均血圧を算出する。加圧は、平均血圧の算出後に速やかに終了する。また脈波測定部１１は、カフ圧に重畳された脈波を取得する。
【００５０】
血圧推定部１４は、血圧算出部１２が算出した最低血圧及び平均血圧、及び脈波測定部１１が測定した脈波、及び補正値（６／５）を用いて最高血圧を推定する。血圧算出部１２が算出した最低血圧及び平均血圧は以下の通りとする。ここで脈波の形状が変化し、脈波波形の面積を１／２に分割する比率ａ：ｂ（図５）が以下の値となったとする。
・最低血圧＝８０ｍｍＨｇ
・平均血圧＝９８ｍｍＨｇ
・比率ａ：ｂ＝３：７
【００５１】
ここで血圧推定部１４は、まず補正値（６／５）を用いて上記の比率（３：７）を以下のように補正する。
・補正比率ａ’：ｂ’＝  ３＊（６／５）：（３＋７）−３＊（６／５）＝３．６：６．４
【００５２】
血圧推定部１４は、この補正比率（３．６：６．４）、最低血圧（８０ｍｍＨｇ）、平均血圧（９８ｍｍＨｇ）を用いて最高血圧を以下のように推定する。
・最高血圧＝９８ｍｍＨｇ＋（９８ｍｍＨｇ−８０ｍｍＨｇ）×（６．４／３．６）＝１３０ｍｍＨｇ
【００５３】
その他の処理は、実施の形態１と同様であればよい。続いて本実施の形態にかかる測定装置１の効果について説明する。測定装置１は、上述のように事前にオシロメトリック法を用いて取得した参照血圧値を用いて補正値を求める。そして測定装置１は、脈波と補正値から補正比率を算出し、補正比率を用いて最高血圧を推定する。参照血圧値は、一般的な血圧測定で使用されるオシロメトリック法を用いて算出されるため、精度の高い値となる。この参照血圧値を用いた補正を行うことにより、血圧推定部１４は脈波の形状が時間の経過により変化したような場合であっても正確に最高血圧を推定することができる。
【００５４】
＜実施の形態４＞
本実施の形態では、％ＭＡＰ（Mean Artery Pressure）を参照して最高血圧を推定することを特徴とする。以下、本実施の形態にかかる測定装置１について他の実施の形態と異なる点を説明する。
【００５５】
本実施の形態にかかる測定装置１の構成を図８に示す。図８に示すように、本実施の形態にかかる測定装置１は、図１の構成に加えてＭＡＰ算出部１８を更に備える。まず、ＭＡＰ算出部１８の説明に先立ち、％ＭＡＰについて説明する。％ＭＡＰは、図９に示すように波形の面積平均値を脈波の振幅で割り、百分率で示したものである（非特許文献２図１）。ここで血管の狭窄や閉塞がある場合には、％ＭＡＰの数値が大きくなる（図９参照）。一般的に％ＭＡＰが４５％未満であると正常となる。
【００５６】
次にカフ圧（圧力制御部１３の加圧力）と％ＭＡＰの関係性について図１０を参照して説明する。図１０では、横軸にカフ圧（被験者の所定部位にカフ２１が与えた圧力）を記載し、縦軸に％ＭＡＰを記載している。
【００５７】
カフ圧が高い場合（例えば４０ｍｍＨｇ以上である場合）、血管がつぶれた状態と考えられるため、％ＭＡＰは大きくなる。一方、カフ圧が低いほど、血管内圧が高くなる。すなわち血管にほとんど外部から圧力がかからない状態となる。これによりカフ圧が低いほど、血管内圧と血管断面積の関係は線形に近くなる。
【００５８】
ＭＡＰ算出部１８は、この図１０のカフ圧と％ＭＡＰの関係を基にカフ圧が０の場合（圧力制御部１３による加圧が解除された場合）の％ＭＡＰを算出（推定）する。推定手法の一例を以下に説明する。
【００５９】
まず脈波測定部１１は、カフ圧に重畳した脈波をＭＡＰ算出部１８に供給する。ＭＡＰ算出部１８は、脈波を基に、図１０相当のカフ圧と％ＭＡＰの関係を算出する。そしてＭＡＰ算出部１８は、カフ圧が０の場合の％ＭＡＰの推定値を算出する。例えばＭＡＰ算出部１８は、図１０に示すような％ＭＡＰの近似式を算出し、当該近似式からカフ圧が０の場合の％ＭＡＰを算出する。なおカフ圧が低いほど近似式の関係は線形になるため、ＭＡＰ算出部１８はカフ圧が所定値以下の範囲を対象として近似式を作成してもよい。ＭＡＰ算出部１８は、算出した％ＭＡＰを血圧推定部１４に供給する。
【００６０】
血圧推定部１４は、血圧算出部１２が算出した最低血圧及び平均血圧と、％ＭＡＰを用いて最高血圧を推定する。以下の例では最低血圧、平均血圧、及びカフ圧０の際の％ＭＡＰの推定値が以下の値であったとして説明する。
・最低血圧＝７０ｍｍＨｇ
・平均血圧＝１００ｍｍＨｇ
・％ＭＡＰ＝４０％
【００６１】
血圧推定部１４は、上記の値であった場合に以下のように最高血圧を推定する。
・最高血圧＝７０ｍｍＨｇ＋（１００ｍｍＨｇ−７０ｍｍＨｇ）／０．４＝１４５ｍｍＨｇ
【００６２】
続いて本実施の形態にかかる測定装置１の効果について説明する。本実施の形態にかかる測定装置１は、カフ圧と％ＭＡＰの関係を用いて最高血圧を推定している。測定装置１は、上述のようにカフ圧と％ＭＡＰの推移の関係からカフ圧が０の際の％ＭＡＰを算出している。そして測定装置１は、この％ＭＡＰを用いて最高血圧を推定している。％ＭＡＰは脈波の面積平均値に関する指標であるため、血圧推定部１４はこの％ＭＡＰを用いることにより、脈波形状が時間経過に伴って変化した場合であっても、精度良く最高血圧を推定することができる。
【００６３】
＜実施の形態５＞
以下の実施の形態５〜８は平均血圧を推定する測定装置１について開示するものであるが、その処理は実施の形態１〜４とそれぞれ対応するものである。実施の形態５にかかる測定装置１は、最低血圧、最高血圧、及び脈波を基にして平均血圧を推定する構成である。推定手法は、基本的に実施の形態１と対応する。そこで実施の形態１と異なる点を以下に説明する。
【００６４】
はじめに本実施の形態が想定しているユースケースの一例について説明する。動脈硬化が進行した患者が被験者とする。一般的なオシロメトリック血圧計は、この被験者に対してカフ圧に重畳する脈波の最大振幅を明確に決定できない場合がある。図１１（非参照文献３から引用）は、動脈硬化が進んだ被験者から測定した脈波を示す概念図である。図示するように、振幅が最大値となる点が明確ではない。そのため一般的なオシロメトリック血圧計は、振幅が最大値となる点に対応する血圧である平均血圧を正確に算出することができない。本実施の形態にかかる測定装置１は、このような被験者であっても平均血圧を正確に算出することを主な目的としている。
【００６５】
本実施の形態にかかる測定装置１の構成は、図１に示す構成と同様であるが、以下の点で動作が異なる。血圧算出部１２は、最低血圧と最高血圧を算出する。そのため圧力制御部１３は、最高血圧以上の圧力を被験者の所定位置（好適には上腕）に加える。血圧算出部１２による最低血圧と最低血圧の算出方法は、一般的なオシロメトリック法の算出方法と同様であればよい。
【００６６】
以下の説明では、最高血圧が１３０ｍｍＨｇ、最低血圧が７０ｍｍＨｇ、上述の比率ａ：ｂ（図４と同様、脈波の一振幅内における比率）が１：２であるものとする。血圧推定部１４は、これらの値から平均血圧が９０ｍｍＨｇ（７０ｍｍＨｇ＋（１３０ｍｍＨｇ−７０ｍｍＨｇ）×（１／３））と推定する。
【００６７】
続いて本実施の形態にかかる測定装置１の効果について説明する。上述のように一般的なオシロメトリック法を用いた血圧測定では、動脈硬化が進行した被験者の平均血圧を正確に測定できない場合がある。一方、本実施の形態にかかる測定装置１は、上述のように最高血圧、最低血圧、及び脈波から算出した比率を用いて平均血圧を推定する。すなわち測定装置１は、オシレーション振幅を用いることなく平均血圧を推定する。これにより、オシレーション振幅の最大値が明確に特定できない場合であっても正確な平均血圧を算出することができる。
【００６８】
＜実施の形態６＞
本実施の形態にかかる測定装置１は、最低血圧、最高血圧、及び参照血圧値を基にして平均血圧を推定する構成である。推定手法は、基本的に実施の形態２と対応する。そこで実施の形態２と異なる点を以下に説明する。
【００６９】
測定装置１の構成は、図７に示す構成と同様である。また本実施の形態にかかる測定装置１のユースケースの一例は、実施の形態５（動脈硬化の進んだ被験者）と同様である。以下、図７を参照しながら実施の形態２と異なる処理について説明する。
【００７０】
血圧算出部１２及び圧力制御部１３は、オシロメトリック法を用いた一般的な血圧測定を、被験者に対して少なくとも１回行う。血圧算出部１２及び圧力制御部１３は、オシロメトリック法を用いて参照血圧値（参照最低血圧、参照平均血圧、参照最高血圧）を履歴記憶部１７に格納する。
【００７１】
その後に測定装置１は、定期的または手動指示により被験者の血圧を算出する。血圧算出部１２は、脈波とカフ圧を基にして最低血圧と最高血圧を算出する。血圧推定部１４は、この算出した最低血圧と最高血圧に加え、履歴記憶部１７から読み出した参照血圧値（参照最低血圧、参照平均血圧、参照最高血圧）を基に平均血圧を推定する。
【００７２】
推定方法は以下のとおりである。以下の説明では、参照血圧値が以下の通りであったとする。
・参照最低血圧＝７０ｍｍＨｇ
・参照平均血圧＝９０ｍｍＨｇ
・参照最高血圧＝１３０ｍｍＨｇ
【００７３】
血圧推定部１４は、上記の参照血圧値から比率（参照平均血圧−参照最低血圧：参照最高血圧−参照平均血圧）を１：２と算出する。血圧推定部１４は、この比率と一致するように平均血圧を推定する。たとえば血圧算出部１２が算出した最低血圧が７０ｍｍＨｇであり、最高血圧が１３３ｍｍＨｇであったとする。この場合血圧推定部１４は、現在の平均血圧を９１ｍｍＨｇ（７０ｍｍＨｇ＋（１３３ｍｍＨｇ−７０ｍｍＨｇ）×（１／３））と推定する。
【００７４】
この他の処理については、実施の形態２と同様である。続いて本実施の形態にかかる測定装置１の効果について説明する。測定装置１は、参照血圧値、最低血圧、最高血圧を用いて平均血圧を推定する。血圧推定部１４は、オシロメトリック法により取得した正確な参照血圧値を用いて平均血圧を推定する。これにより、平均血圧を精度良く推定することができる。
【００７５】
＜実施の形態７＞
本実施の形態にかかる測定装置１は、実施の形態６と同様に過去の血圧値（参照血圧値）を用いて平均血圧を推定する。実施の形態７の測定装置１の処理は、実施の形態３の測定装置１の処理と対応する。そこで実施の形態３と異なる点を以下に説明する。
【００７６】
測定装置１の構成は実施の形態２（図７）と同様である。血圧算出部１２及び圧力制御部１３は、オシロメトリック法を用いた一般的な血圧測定を、被験者に対して少なくとも１回行う。算出した参照血圧値は、履歴記憶部１７に格納される。またオシロメトリック法による血圧測定の時（ほぼ同じタイミング）に、脈波測定部１１はカフ圧に重畳した脈波を測定して履歴記憶部１７に格納する。
【００７７】
以下の説明では、参照血圧値が以下の値であり、オシロメトリック法の測定時の脈波波形の面積を１／２に分割する比率ａ：ｂ（図５）が以下の値とする。
・参照最低血圧＝８０ｍｍＨｇ
・参照平均血圧＝９８ｍｍＨｇ
・参照最高血圧＝１２５ｍｍＨｇ
・比率ａ：ｂ＝１：２
【００７８】
ここで実測値（オシロメトリック法を用いて算出した参照血圧値）に基づく比率は、（参照平均血圧−参照最低血圧：参照最高血圧−参照平均血圧）＝２：３となる。そのため血圧推定部１４は、脈波から算出した比率ａ：ｂを補正するための補正値を６／５（＝（（２／（２＋３））／（１／（１＋２）））と算出する。
【００７９】
以上がオシロメトリック法を用いた前提処理である。続いて血圧算出部１２は、血圧測定（最低血圧、最高血圧）を任意のタイミングで行う。また脈波測定部１１は、カフ圧に重畳された脈波を取得する。
【００８０】
血圧推定部１４は、血圧算出部１２が算出した最低血圧及び最高血圧、及び脈波測定部１１が測定した脈波、及び補正値（６／５）を用いて平均血圧を推定する。血圧算出部１２が算出した最低血圧及び最高血圧は以下の通りとする。ここで脈波の形状が変化し、脈波波形の面積を１／２に分割する比率ａ：ｂ（図５）が以下の値となったとする。
・最低血圧＝８０ｍｍＨｇ
・最高血圧＝１３０ｍｍＨｇ
・比率ａ：ｂ＝３：７
【００８１】
ここで血圧推定部１４は、まず補正値（６／５）を用いて上記の比率（３：７）を以下のように補正する。
・補正比率ａ’：ｂ’＝  ３＊（６／５）：（３＋７）−３＊（６／５）＝３．６：６．４
【００８２】
血圧推定部１４は、この補正比率（３．６：６．４）、最低血圧（８０ｍｍＨｇ）、最高血圧（１３０ｍｍＨｇ）を用いて平均血圧を以下のように推定する。
・平均血圧＝８０ｍｍＨｇ＋（１３０ｍｍＨｇ−８０ｍｍＨｇ）×（３．６／（６．４＋３．６））＝９８ｍｍＨｇ
【００８３】
続いて本実施の形態にかかる測定装置１の効果について説明する。測定装置１は、上述のように事前にオシロメトリック法を用いて取得した参照血圧値を用いて補正値を求める。そして測定装置１は、脈波と補正値から補正比率を算出し、補正比率を用いて平均血圧を推定する。この参照血圧値を用いた補正を行うことにより、血圧推定部１４は脈波の形状が時間の経過により変化したような場合であっても正確に平均血圧を推定することができる。
【００８４】
＜実施の形態８＞
本実施の形態では、％ＭＡＰ（Mean Artery Pressure）を参照して平均血圧を推定することを特徴とする。実施の形態８にかかる測定装置１の処理は、実施の形態４と対応する。そこで実施の形態４と異なる点について以下に説明する。
【００８５】
測定装置１の構成は、実施の形態４の構成（図８）と同様である。すなわち測定装置１は、ＭＡＰ算出部１８を有する構成である。ＭＡＰ算出部１８は、実施の形態４と同様に％ＭＡＰを算出する。
【００８６】
血圧算出部１２は、一般的なオシロメトリック法を用いて最低血圧と最高血圧を算出する。血圧推定部１４は、血圧算出部１２が算出した最低血圧及び最高血圧と、％ＭＡＰの推定値を用いて平均血圧を推定する。以下の例では最低血圧、最高血圧、及びカフ圧０の場合（圧力制御部１３による加圧が解除された場合）の％ＭＡＰの推定値が以下の値であったとして説明する。
【００８７】
・最低血圧＝７０ｍｍＨｇ
・最高血圧＝１２０ｍｍＨｇ
・％ＭＡＰ＝４０％
【００８８】
血圧推定部１４は、上記の値であった場合に以下のように平均血圧を推定する。
・平均血圧＝７０ｍｍＨｇ＋（１２０ｍｍＨｇ−７０ｍｍＨｇ）×（０．４）＝９０ｍｍＨｇ
【００８９】
続いて本実施の形態にかかる測定装置１の効果について説明する。本実施の形態にかかる測定装置１は、カフ圧と％ＭＡＰの関係を用いて平均血圧を推定している。測定装置１は、上述のようにカフ圧と％ＭＡＰの推移の関係からカフ圧が０の際の％ＭＡＰを算出している。そして測定装置１は、この％ＭＡＰを用いて平均血圧を推定している。％ＭＡＰは脈波の面積平均値に関する指標であるため、血圧推定部１４はこの％ＭＡＰを用いることにより精度良く平均血圧を推定することができる。
【００９０】
（実施の形態１〜８にかかる測定装置１の処理概要）
上述の実施の形態１〜８にかかる測定装置１に共通する処理の概要について改めて以下に説明する。血圧算出部１２は、オシロメトリック法を用いて２つの血圧値（第１血圧値、第２血圧値）を算出する。なお血圧算出部１２は、オシロメトリック法に限られず、正確な２つの血圧値が取れる手法であれば、この他の手法を用いてもよい。実施の形態１〜４では、第１血圧値として最低血圧値を算出し、第２血圧値として平均血圧値を算出する。実施の形態５〜８では、第１血圧値として最低血圧値を算出し、第２血圧値として最高血圧値を算出する。
【００９１】
血圧推定部１４は、この第１血圧値と第２血圧値に加え、各血圧値の差の大きさの関係を示す比率情報を基に、第３血圧値を推定する。実施の形態１〜４では第３血圧値として最高血圧を推定し、実施の形態５〜８では第３血圧値として平均血圧を推定する。ここで比率情報とは、（平均血圧−最低血圧）と（最高血圧−平均血圧）の大きさの比率で示したものである。なお比率情報を（最高血圧−最低血圧）と（平均血圧−最低血圧）の大きさの比率と捉えることも勿論可能である。
【００９２】
この比率情報は、各実施の形態において異なる方法で算出されている。実施の形態１及び５では、脈波測定部１１が脈波を取得する。そして血圧推定部１４は、脈波の振幅と血圧の変化との間には関連性があることに着目し、脈波の形状を基に比率情報（図５におけるａ：ｂ）を算出している。そして血圧推定部１４は、この比率情報と２つの血圧値（第１血圧値、第２血圧値）を用いて第３血圧値の推定をしている。
【００９３】
実施の形態２及び６では、血圧推定部１４は以前に正確に手法（例えばオシロメトリック法）で取得した参照血圧値（参照最低血圧、参照平均血圧、参照最高血圧）を基に上述の比率情報を算出している。血圧推定部１４は、例えば（参照平均血圧−参照最低血圧：参照最高血圧−参照平均血圧）を上述の比率情報として血圧推定処理を行っている。
【００９４】
実施の形態３及び７では、血圧推定部１４は実施の形態１及び５と同様に脈波形状から比率情報を算出している。そして血圧推定部１４は、参照血圧値（参照最低血圧、参照平均血圧、参照最高血圧）から算出した補正値を用いて比率情報を補正した後に、血圧推定を行っている。
【００９５】
実施の形態４及び８では、ＭＡＰ算出部１８はカフ圧と％ＭＡＰの推移から、カフ圧が０の場合の％ＭＡＰを算出している。この％ＭＡＰは、波形の面積平均値を脈波の振幅で割って百分率で示したものであり、上述の比率情報の一種と捉えることができる。血圧推定部１４は、この％ＭＡＰと第１血圧値と第２血圧値を用いて第３血圧値の血圧推定を行っている。
【００９６】
このように各実施の形態の測定装置１は、一般的な手法を用いて取得した第１血圧値と第２血圧値、及び各血圧値の差の大きさの関係を示す比率情報を用いて第３血圧値を算出する。人間の血圧値として３つの血圧値（最低血圧、平均血圧、最高血圧）がある。測定装置１は、このうちの２つの血圧値（第１血圧値、第２血圧値）と比率情報を用いて第３血圧値を算出する。３つ全ての血圧値を算出しないことによって測定時間を短縮でき、被験者の負担を軽減することができる（実施の形態１〜４）。また別のケースでは、測定装置１は一般的な測定方法では不正確と思われる血圧値を比率情報を用いて推定する（実施の形態５〜８）。これにより、一般的なオシロメトリック法で問題となる種々の問題を解決することができる。
【００９７】
なお上述の実施の形態１〜８では、比率情報を測定中に算出する例を説明したが必ずしもこれに限られない。一般的に（最低血圧＋脈圧×（１／３））が平均血圧となると言われている。そのため、比率情報として規定値、すなわち（平均血圧−最低血圧）：（最高血圧−平均血圧）＝１：２を用いてもよい。また測定装置１のユーザが任意にこの規定値を設定できるようにしてもよい。この規定値は、非特許文献４に示すように様々な算出方法が考えられる。そのためユーザは、被験者の状態等を考慮して最も適切な規定値を設定することにより、被験者に関する所望の血圧値を適切に測定することができる。
【００９８】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００９９】
たとえば、実施の形態１〜４において最高血圧を推定するとともに、オシロメトリック法で算出する構成であっても良い。つまり圧力制御部１３は、平均血圧が算出出来た後であっても減圧を開始せず、最高血圧がオシロメトリック法で算出できるまで加圧を続ける。血圧推定部１４は、上述の手法で最低血圧と平均血圧を基に最高血圧を推定する。表示部１５は、最低血圧、平均血圧、及び推定した最高血圧を表示する。表示部１５は、オシロメトリック法で最高血圧が算出できた後に、推定した最高血圧をオシロメトリック法で算出した最高血圧で上書きするように表示を切り替える。
【０１００】
これにより、測定装置１を参照する医師等は、素早く最高血圧を含む血圧値の概算状況を把握できるとともに、オシロメトリック法で算出した正確な最高血圧を参照することができる。
【０１０１】
なお上述の脈波測定部１１、血圧算出部１２、血圧推定部１４、及びＭＡＰ算出部１８の処理の一部又は全部は、測定装置１内で動作するコンピュータプログラムとして実現することができる。ここでプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【０１０２】
１  測定装置
１１  脈波測定部
１２  血圧算出部
１３  圧力制御部
１４  血圧推定部
１５  表示部
１６  報知部
１７  履歴記憶部
１８  ＭＡＰ算出部
２１  カフ
【図１】
0006440535.tif 000005
【図２】
0006440535.tif 000006
【図３】
0006440535.tif 000007
【図４】
0006440535.tif 000008
【図５】
0006440535.tif 000009
【図６】
0006440535.tif 000010
【図７】
0006440535.tif 000011
【図８】
0006440535.tif 000012
【図９】
0006440535.tif 000013
【図１０】
0006440535.tif 000014
【図１１】
0006440535.tif 000015